(57)【要約】      （修正有）【課題】観察する組織等の視認性を高めることができる組織標本を提供する。【解決手段】組織等を薄く切って観察する際に用いる包埋剤を含む組織標本であって、墨を含有する包埋剤を凍結して薄切りにした凍結切片である、ことを特徴とする。包埋剤はポリビニルアルコールと、ポリエチレングリコールと、ギ酸カリウムと、水とを含有する。【選択図】図１
0003218260.tif 000002
【実用新案登録請求の範囲】
【請求項１】
組織等を薄く切って観察する際に用いる包埋剤であって、
墨を含有する、ことを特徴とする包埋剤。
【請求項２】
ポリビニルアルコールと、ポリエチレングリコールと、ギ酸カリウムと、水とをさらに含有する、ことを特徴とする、請求項１に記載の包埋剤。
【請求項３】
前記墨は、１〜２重量パーセントである、ことを特徴とする、請求項１または請求項２に記載の包埋剤。
【考案の詳細な説明】
【技術分野】
【０００１】
本考案は、組織等を薄く切って観察する際に用いる包埋剤（コンパウンド）に関する。
【背景技術】
【０００２】
医薬品の生産や、遺伝子治療、再生医療、免疫療法等の分野において、組織や細胞、微生物、ウィルス等（以下、「組織等」と言う）を光学顕微鏡、電子顕微鏡などで観察する場合がある。このとき、組織等を薄切りにする際に、組織等を硬化・支持するためにコンパウンド（包埋剤）を用いる。特許文献１には、メタクリル酸エステルと、フタル酸ジエステルと、重合開始剤とを含有する包埋剤とし、この包埋剤に、固定・脱水後の組織を浸漬し、次いで包埋剤を硬化させて組織の樹脂包埋体を作製し、該樹脂包埋体における樹脂をキシレンにより除去し、切片化して組織標本を調製し、得られた組織標本をインシトゥハイブリダイゼーション法や、組織免疫化学法による組織の分析に用いる技術を開示している。特許文献２には、硬化性基材非浸透標本を作製する際に、組織への熱侵襲がなく、薄切の際にシワややぶれが少なく、包埋剤中の組織の位置が確認でき、更に、硬化性基材非浸透標本と同一面の硬化性基材浸透標本を作製するための標本作製用包埋剤に関する技術を開示している。
【先行技術文献】
【特許文献】
【０００３】
【特許文献１】特開２００４−８５２１９号公報
【特許文献２】ＷＯ２０１５／１９９１９５号公報
【考案の概要】
【考案が解決しようとする課題】
【０００４】
しかしながら、特許文献１および特許文献２には、包埋剤と組織等とが同色または類似の色の場合に、組織等を区別できない場合がある。また、特許文献１および特許文献２には、組織等の視認性を高める方法の記載がない。
【０００５】
本考案は、観察する組織等の視認性を高めるために着色した包埋剤を提供することを目的とする。
【課題を解決するための手段】
【０００６】
上記課題を解決するために、本考案の一つの実施形態は、組織等を薄く切って観察する際に用いる包埋剤であって、墨を含有する、ことを特徴とする包埋剤を提供する。
【０００７】
本考案の他の実施形態は、上記の包埋剤であって、ポリビニルアルコールと、ポリエチレングリコールと、ギ酸カリウムと、水とをさらに含有する、ことを特徴とする包埋剤であってもよい。
【０００８】
本考案の他の実施形態は、上記のいずれかの包埋剤であって、前記墨は、１〜２重量パーセントである、ことを特徴とする包埋剤であってもよい。
【考案の効果】
【０００９】
本考案に係る包埋剤によれば、観察する組織等の視認性を高めることができる。
【図面の簡単な説明】
【００１０】
【図１】本考案の実施形態に係る包埋剤の例を説明する説明図である。
【図２】包埋剤を用いた組織観察方法の一例を説明する説明図である。
【考案を実施するための形態】
【００１１】
実施形態に係る包埋剤（コンパウンド）の例を用いて、本考案を説明する。なお、本考案は、以後に説明する包埋剤以外でも、培養した組織等（組織や細胞、微生物、ウィルス等）を視認（検査、確認、観察、試験、区別など）するために組織標本を作成するものであれば、いずれのものにも用いることができる。
【００１２】
以後に、本考案を説明する。
【００１３】
図１および図２を用いて、本考案の実施形態に係る包埋剤の構成を説明する。ここで、図１は、本考案の実施形態に係る包埋剤１０の例を説明する説明図である。図２は、包埋剤を用いた組織観察方法の一例を説明する説明図である。なお、図１等に示す包埋剤の構成等は一例であり、本考案は図１等に示す包埋剤等に限定されるものではない。
【００１４】
図１に示すように、本考案に係る包埋剤１０は、採取または培養した組織等ＣＬを内包して組織標本を作成するものである。なお、作成した組織標本は凍結して固体状態とし、薄切りしてから光学顕微鏡下や電子顕微鏡などで組織等を観察される。
【００１５】
本考案に係る包埋剤は、ポリビニルアルコールと、ポリエチレングリコールと、ギ酸カリウムと、水と、墨とを含有する。また、本考案に係る包埋剤は、好ましくは墨を１〜２重量パーセントとする。すなわち、本考案に係る包埋剤は、色素に墨を使用して、黒色の凍結切片作製用包埋剤とする。本考案に係る包埋剤の成分は、本実施形態では、ポリビニルアルコール１０〜１１重量パーセント、ポリエチレングリコール４〜５重量パーセント、ギ酸カリウム１重量パーセント、水８２〜８３重量パーセント、墨１〜２重量パーセントである。
【００１６】
図２を用いて、包埋剤を用いた組織観察方法の一例を説明する。組織観察方法は、まず、図２（ａ）に示すように、観察する組織を適切なサイズに切断する。次に、図２（ｂ）に示すように、凍結用包埋皿に包埋剤と組織を入れ、組織標本を作成する。次いで、図２（ｃ）に示すように、液体窒素やドライアイス及びアセトンなどを用いて、凍結用包埋皿ごと、組織標本を凍結し、固体状態とする。図２（ｄ）に示すように、固体状態の組織標本を薄切りして、凍結切片（薄切りした組織標本）を作成する。図２（ｅ）に示すように、凍結切片を顕微鏡で観察（たとえば切片中に目的の細胞が存在しているかなど、細胞の位置を視認）する。なお、凍結切片は、組織切片の作製までにかかるプロセスが少なく、短時間で切片を作製することが可能なため、組織等の迅速診断にも有用である。
【００１７】
以上のとおり、本考案に係る包埋剤は、墨で黒色に着色することができるので、組織等の視認性を高めることができる。また、本考案に係る包埋剤は、墨で黒色に着色することができるので、凍結の際に氷結晶が生じても（組織標本の表面が白っぽくなった場合でも）明暗の差が大きく、コントラストを強くすることができ、微小組織や培養細胞などを視認しやすくすることができる。
【００１８】
また、本考案に係る包埋剤は、墨で黒色に着色することができるので、従来の青、緑、オレンジ、ピンク、黄色などの包埋剤（組織標本）と比較して、組織等の視認性を向上することができる。
【産業上の利用可能性】
【００１９】
本考案は、組織等を培養や診断する遺伝子治療、免疫療法、再生医療や抗体医薬生産などにおいて好適に利用することが可能である。
【００２０】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２１】
１０  ：  包埋剤
ＣＬ  ：  組織等（組織や細胞、微生物、ウィルス、など）
【図１】
0003218260.tif 000003
【図２】
0003218260.tif 000004
【手続補正書】
【提出日】平成30年8月4日(2018.8.4)
【手続補正１】
【補正対象書類名】実用新案登録請求の範囲
【補正対象項目名】全文
【補正方法】変更
【補正の内容】
【実用新案登録請求の範囲】
【請求項１】
組織等を薄く切って観察する際に用いる包埋剤を含む組織標本であって、
墨を含有する包埋剤を凍結して薄切りにした凍結切片である、
ことを特徴とする組織標本。
【請求項２】
前記包埋剤はポリビニルアルコールと、ポリエチレングリコールと、ギ酸カリウムと、水とをさらに含有する、ことを特徴とする、請求項１に記載の組織標本。
【請求項３】
前記包埋剤において前記墨は、１〜２重量パーセントである、ことを特徴とする、請求項１または請求項２に記載の組織標本。
【手続補正３】
【補正対象書類名】明細書
【補正対象項目名】０００１
【補正方法】変更
【補正の内容】
【０００１】
本考案は、組織等を薄く切って観察する際に用いる包埋剤（コンパウンド）を含む組織標本に関する。
【手続補正４】
【補正対象書類名】明細書
【補正対象項目名】０００６
【補正方法】変更
【補正の内容】
【０００６】
上記課題を解決するために、本考案の一つの実施形態は、組織等を薄く切って観察する際に用いる包埋剤を含む組織標本であって、墨を含有する包埋剤を凍結して薄切りにした凍結切片である、ことを特徴とする組織標本を提供する。
【手続補正５】
【補正対象書類名】明細書
【補正対象項目名】０００７
【補正方法】変更
【補正の内容】
【０００７】
本考案の他の実施形態は、上記の包埋剤は、ポリビニルアルコールと、ポリエチレングリコールと、ギ酸カリウムと、水とをさらに含有する、ことを特徴とする組織標本であってもよい。
【手続補正６】
【補正対象書類名】明細書
【補正対象項目名】０００８
【補正方法】変更
【補正の内容】
【０００８】
本考案の他の実施形態は、上記のいずれかの包埋剤において、前記墨は、１〜２重量パーセントである、ことを特徴とする組織標本であってもよい。
【手続補正７】
【補正対象書類名】明細書
【補正対象項目名】０００９
【補正方法】変更
【補正の内容】
【０００９】
本考案に係る組織標本によれば、観察する組織等の視認性を高めることができる。
【手続補正８】
【補正対象書類名】明細書
【補正対象項目名】００１０
【補正方法】変更
【補正の内容】
【００１０】
【図１】本考案の実施形態に係る包埋剤（組織標本）の例を説明する説明図である。
【図２】包埋剤を用いた組織観察方法の一例を説明する説明図である。
【手続補正９】
【補正対象書類名】明細書
【補正対象項目名】００１１
【補正方法】変更
【補正の内容】
【００１１】
実施形態に係る包埋剤（コンパウンド）の組織標本の例を用いて、本考案を説明する。なお、本考案は、以後に説明する組織標本以外でも、培養した組織等（組織や細胞、微生物、ウィルス等）を視認（検査、確認、観察、試験、区別など）するものであれば、いずれのものにも用いることができる。
【手続補正１０】
【補正対象書類名】明細書
【補正対象項目名】００１３
【補正方法】変更
【補正の内容】
【００１３】
図１および図２を用いて、本考案の実施形態に係る包埋剤の構成を説明する。ここで、図１は、本考案の実施形態に係る組織標本（包埋剤１０）の例を説明する説明図である。図２は、組織標本を用いた組織観察方法の一例を説明する説明図である。なお、図１等に示す組織標本の構成等は一例であり、本考案は図１等に示す組織標本等に限定されるものではない。
【手続補正１１】
【補正対象書類名】明細書
【補正対象項目名】００１６
【補正方法】変更
【補正の内容】
【００１６】
図２を用いて、組織標本（包埋剤）を用いた組織観察方法の一例を説明する。組織観察方法は、まず、図２（ａ）に示すように、観察する組織を適切なサイズに切断する。次に、図２（ｂ）に示すように、凍結用包埋皿に包埋剤と組織を入れ、組織標本を作成する。次いで、図２（ｃ）に示すように、液体窒素やドライアイス及びアセトンなどを用いて、凍結用包埋皿ごと、組織標本を凍結し、固体状態とする。図２（ｄ）に示すように、固体状態の組織標本を薄切りして、凍結切片（薄切りした組織標本）を作成する。図２（ｅ）に示すように、凍結切片を顕微鏡で観察（たとえば切片中に目的の細胞が存在しているかなど、細胞の位置を視認）する。なお、凍結切片は、組織切片の作製までにかかるプロセスが少なく、短時間で切片を作製することが可能なため、組織等の迅速診断にも有用である。
【手続補正１２】
【補正対象書類名】明細書
【補正対象項目名】００１７
【補正方法】変更
【補正の内容】
【００１７】
以上のとおり、本考案に係る組織標本（包埋剤）は、墨で黒色に着色することができるので、組織等の視認性を高めることができる。また、本考案に係る組織標本（包埋剤）は、墨で黒色に着色することができるので、凍結の際に氷結晶が生じても（組織標本の表面が白っぽくなった場合でも）明暗の差が大きく、コントラストを強くすることができ、微小組織や培養細胞などを視認しやすくすることができる。
【手続補正１３】
【補正対象書類名】明細書
【補正対象項目名】００１８
【補正方法】変更
【補正の内容】
【００１８】
また、本考案に係る組織標本（包埋剤）は、墨で黒色に着色することができるので、従来の青、緑、オレンジ、ピンク、黄色などの包埋剤（組織標本）と比較して、組織等の視認性を向上することができる。